(57)【要約】【課題】  ライニング材を長距離区間にわたって効率よく迅速に施工することのできる反転装置とする。【解決手段】  反転装置１は、ライニング材１０が引き込まれる本体部２と、ライニング材１０に流体圧力を作用させる反転部４とを備える。本体部２には、ライニング材１０の制御索３１を収納した格納部３と、格納部３と反転部４との間を選択的に開閉する開閉弁２２、２４とが設けられる。格納部３は、制御索３１の巻取リール３２を回転可能に保持するとともに、気密的に閉止可能な開口部３３を備えており、開閉弁２４を閉止した状態で開口部３３を開放することで、制御索３１の末端に新たな制御索３５の先端を結合可能とされている。【選択図】  図４
2014113757.tif 000002
【特許請求の範囲】
【請求項１】
ライニング材が引き込まれる導入口及び該ライニング材が通過する排出口を備えた本体部と、前記排出口に接続されてライニング材の先端部を係止し該ライニング材に流体圧力を作用させる反転部とを備え、筒状のライニング材の内面と外面とを反転させつつ該ライニング材を送り出す反転装置であって、
前記本体部には、ライニング材の後端部に取り付けられる長尺の制御索を収納した格納部と、該格納部と前記反転部との間を選択的に開閉する開閉弁とが設けられ、
前記格納部は、前記制御索の巻取リールを回転可能に保持するとともに、気密的に閉止可能な開口部を備え、前記開閉弁を閉止した状態で前記開口部を開放し、前記制御索の末端に新たな制御索の先端を結合可能とされたことを特徴とする反転装置。
【請求項２】
請求項１に記載の反転装置において、
前記格納部は、前記開口部に気密的に密着される蓋部材を備えることを特徴とする反転装置。
【請求項３】
請求項１又は２に記載の反転装置において、
前記格納部は、前記開口部を介して前記本体部に連結されており、該本体部に対して着脱自在とされたことを特徴とする反転装置。
【請求項４】
請求項１又は２に記載の反転装置において、
前記格納部は、前記開口部を介して、新たな制御索を収納した追加の格納部を連結可能とされたことを特徴とする反転装置。
【請求項５】
請求項１〜４のいずれか一つの請求項に記載の反転装置において、
前記格納部は、巻取リールを回転駆動させる電動機及び該電動機を制御する制御装置を備えることを特徴とする反転装置。
【発明の詳細な説明】
【技術分野】
【０００１】
本発明は、老朽化した既設管の内面にライニングを施して管路を補修するのに用いる反転装置に関する。
【背景技術】
【０００２】
地中に埋設された上水道管、農水管などの種々の既設管が老朽化した場合に、その管路を掘削することなく、管路の内面にライニングを施して管路を補修する既設管の更生工法が広く実用化されている。
【０００３】
その更生工法の一つとして、管状樹脂吸着基材に未硬化の液状硬化性樹脂を含浸させたチューブ状のライニング材を、流体圧によってその内面と外面とを反転させつつ管路内に挿入し、当該ライニング材に含浸されている硬化性樹脂を硬化させて一体化する、いわゆる反転工法がある。
【０００４】
反転工法には、例えば特許文献１に開示されるようなライニング材の反転装置が用いられる。この種の反転装置は、ライニング材がロール状に巻き取られたリールと、リールを内部に収容した収納容器と、ライニング材を反転させる反転ノズルとを備えて構成されている。収納容器には圧縮空気が供給されてライニング材が引き出され、反転ノズルによりライニング材が反転されて更生管路に挿入される。そして、ライニング材を管路の内面に押圧し、硬化したライニング材によって管路の内面がライニングされる。ライニング材は、リールに巻き取られて収納容器に収容されるに限らず、特許文献２に開示されるように、平坦状に折り畳んだ状態で収納容器に収容される場合もある。
【０００５】
しかしながら、前記従来の反転装置にあっては、ライニング材の巻き取り量がリールの大きさ又は収納容器の大きさ等により制限されるので、ライニング材の施工延長が制限され、一時に更生可能な管路の長さに限界があるという問題点があった。
【０００６】
このような問題点に対し、例えば特許文献３に開示されるように、折り畳まれたライニング材をチャンバー内に一定の長さ分だけ引き込み、圧縮空気を供給してライニング材を前方に移送して断続的に反転させ、これを繰り返す構成の反転装置も提案されている。この反転装置では、チャンバーの内部空間に、複数の支持ローラと複数の稼動ローラとを含む牽引機構が備えられており、ライニング材の上側に配置された稼動ローラを下降させることでライニング材を引き込み、稼動ローラを元の位置に上昇させることでライニング材を緩く繰り出し、圧縮空気を作用させる構成とされている。
【先行技術文献】
【特許文献】
【０００７】
【特許文献１】特開２００６−２０５７２２号公報
【特許文献２】特開２００３―１６５１５８号公報
【特許文献３】特開２０１２−５１６２５１号公報
【発明の概要】
【発明が解決しようとする課題】
【０００８】
通常、ライニング材を反転させつつ更生管路に送り込む際、ライニング材の後端部には制御索が取り付けられる。制御索はリール等に巻き取られており、ライニング材が反転するにつれて該リールから繰り出される。かかる制御索によって、ライニング材の後端部を後方へ牽引して、ライニング材の反転速度や推進速度を減速させている。例えば、特許文献３に開示された反転装置では、支持バンドとよばれる制御索が巻取ロールに巻き取られて反転装置に内蔵された構成とされている。この場合、巻取ロールの大きさは一定であることから、巻き取られる支持バンドの長さも一定であり、ライニング材の施工延長は巻取ロールに巻かれた支持バンドの長さにより制限を受けることとなる。そのため、ライニング材の施工延長は、一定の範囲に制限されてしまうという問題点があった。
【０００９】
また、制御索は、ライニング材に流体圧力を作用させる過程で、ライニング材に引っ張られて順次繰り出される。このため、制御索は、反転装置内部のライニング材の搬送ルートの近傍に収納されている必要があり、反転装置に内蔵された構成であった。したがって、制御索が不足した場合に、内蔵された制御索を容易に継ぎ足したり交換したりすることはできず、ライニング材の施工延長が制限されていた。その結果、長距離区間にわたる管路更生を行う場合には、複数回に分けてライニング材を施工しなければならないという問題点があった。
【００１０】
そこで本発明は、上記のような問題点にかんがみてなされたものであり、その目的とするところは、ライニング材の後端部に取り付けられる制御索の長さに制限されることなく、ライニング材を長距離区間にわたって効率よく迅速に施工することのできる反転装置を提供することにある。
【課題を解決するための手段】
【００１１】
前記の目的を達成するための本発明の解決手段は、ライニング材が引き込まれる導入口及び該ライニング材が通過する排出口を備えた本体部と、前記排出口に接続されてライニング材の先端部を係止し該ライニング材に流体圧力を作用させる反転部とを有し、筒状のライニング材の内面と外面とを反転させつつ該ライニング材を送り出す反転装置を前提とする。この反転装置に対し、前記本体部には、ライニング材の後端部に取り付けられる長尺の制御索を収納した格納部と、該格納部と前記反転部との間を選択的に開閉する開閉弁とを備えさせ、前記格納部に、前記制御索の巻取リールを回転可能に保持させるとともに、気密的に閉止可能な開口部を設けて、前記開閉弁を閉止した状態で前記開口部を開放し、前記制御索の末端に新たな制御索の先端を結合可能な構成としている。
【００１２】
この特定事項により、ライニング材の反転過程でライニング材の後端部に取り付けた制御索が全て格納部から繰り出されたとしても、格納部の開口部を開放して制御索を追加することができ、ライニング材の反転作業を続行することが可能となる。反転途中にあるライニング材の内部圧力は、反転部と格納部との間に設けられた開閉弁を閉止することで一定に保持されることから、反転作業を一旦停止して、制御索を追加する作業等を行っても、ライニング材の反転に影響を及ぼすことなく迅速に反転作業を再開させることができる。その結果、制御索の長さに制限されることなく、長距離区間にわたって効率よくライニング材を施工することが可能となる。
【００１３】
前記反転装置のより具体的な構成として次のものが挙げられる。つまり、前記格納部には、前記開口部に気密的に密着される蓋部材を備えさせることが好ましい。
【００１４】
これにより、反転装置の格納部を気密的に閉止して本体部及び反転部の内部圧力を保持することが可能となり、また必要に応じて格納部の開口部を開放することが可能となる。
【００１５】
また、前記反転装置においては、前記格納部を、前記開口部を介して本体部に連結させ、本体部に対して着脱自在な構成とすることが好ましい。
【００１６】
この場合、本体部には制御索を収納した格納部が前記開口部を介して装着されている。これにより、制御索を追加等する必要が生じたとき、一旦、その格納部を取り外し、格納部に制御索を追加し又は制御索を収納した新たな格納部に交換することが可能となり、容易にライニング材の反転作業を続行することできる。
【００１７】
また、前記反転装置においては、前記格納部を、新たな制御索を収納した追加の格納部を、前記開口部を介して連結可能な構成とすることが好ましい。
【００１８】
これにより、制御索を追加等する必要が生じたとき、本体部に設けられた格納部に対し、別途、追加の格納部を連結して、必要長さの制御索を追加することが可能となり、容易にライニング材の反転作業を続行することができる。
【００１９】
また、前記反転装置において、前記格納部には、巻取リールを回転駆動させる電動機及び該電動機を制御する制御装置を備えさせることが好ましい。
【００２０】
これにより、電動機が駆動されると、巻取リールが一方向に回転し、制御策を一定の速度で繰り出すものとなる。したがって、制御策の繰り出し量が制御され、反転されるライニング材の推進に制動をかけることが可能となる。
【発明の効果】
【００２１】
本発明では、本体部に、ライニング材の後端部に取り付けられる長尺の制御索を収納した格納部と、該格納部と前記反転部との間を選択的に開閉する開閉弁とを備えさせ、前記格納部に気密的に閉止可能な開口部を備えさせて、前記開閉弁を閉止した状態で前記開口部を開放し、前記制御索の末端に新たな制御索の先端を結合可能な構成としている。このため、必要長さの制御索を追加することができ、反転装置の格納部に収納された制御索の長さに制限されることなく、ライニング材を長距離区間にわたって効率よく迅速に施工することが可能となる。
【図面の簡単な説明】
【００２２】
【図１】本発明の実施の形態に係る反転装置の説明図である。
【図２】前記反転装置を用いた既設管の更生方法を示す説明図である。
【図３】ライニング材の一例を示す断面図である。
【図４】前記反転装置によるライニング材の反転過程を示す説明図である。
【図５】前記反転装置における格納部から制御索が全て繰り出された状態を示す説明図である。
【図６】前記反転装置における格納部を開放して制御索を追加する様子を示す説明図である。
【図７】前記反転装置において制御索の追加が完了した状態を示す説明図である。
【図８】本発明の他の実施の形態に係る反転装置の説明図である。
【図９】本発明のさらに他の実施の形態に係る反転装置の説明図である。
【発明を実施するための形態】
【００２３】
以下、本発明の実施の形態に係る反転装置について、図面を参照しつつ説明する。
【００２４】
図１は実施形態に係る反転装置１の構成を示す説明図であり、図２は反転装置１を用いた既設管７の更生方法を示す説明図である。
【００２５】
本発明に係る反転装置１は、長尺筒状のライニング材１０の内面と外面とを反転させ、反転させたライニング材１０を送り出すのに用いられる。反転されるライニング材１０は、例えば図３に示されるように構成されている。
【００２６】
例示のライニング材１０は、更生対象の既設管７の内周面にライニング層を形成するものであり、予め既設管７の内径より小さい外径の筒状に形成されている。ライニング材１０は外面側の被覆層１１と、内面側の樹脂含浸層１２とを備えた複層構造からなる。
【００２７】
最も外側の被覆層１１は、加圧流体の不透過性を有する合成樹脂フィルム材により筒状に形成されている。例えば、被覆層１１は、ポリエチレンフィルム、ポリウレタンフィルム、又は軟質塩化ビニル樹脂フィルム等によって形成されている。また、被覆層１１には、ポリプロピレン、ナイロン、ポリエステル、もしくはポリ塩化ビニル等の樹脂フィルム材、又はエラストマーや合成ゴム系材料からなるシート材を用いて形成することも可能である。
【００２８】
ライニング材１０の被覆層１１の内側には、単層又は複層構造の樹脂含浸層１２が設けられている。図３では、樹脂含浸層１２として、二層に重ねた樹脂不織布１２１と、これら樹脂不織布１２１の間に介装された強化繊維１２２とを備えている。
【００２９】
樹脂不織布１２１は、液状の熱硬化性樹脂を主剤とする母材樹脂を含浸する基材であり、可撓性を有し樹脂含浸性に優れた材料からなる。樹脂不織布１２１としては、例えば、ポリエステル、高性能ポリエチレン（ＨＰＰＥ）、又はポリプロピレン、その他高強度で高弾性材料からなる不織布を用いることができる。樹脂含浸層１２に介装されている強化繊維１２２は、ガラス繊維、アラミド繊維、炭素繊維等の強化繊維材料とされ、母材樹脂との接着性を高めるため、シランカップリング剤で前処理されている。
【００３０】
かかる樹脂含浸層１２は、既設管７の更生工程において、未硬化の母材樹脂が含浸され、外面側となるように反転され、既設管７内で硬化してライニング層を形成するものとなる。
【００３１】
このような筒状のライニング材１０は、反転装置１によって、内面と外面とを反転させて既設管７へ送り込まれる。反転装置１は、図１に示されるように、ライニング材１０の導入口２１及び排出口２３を備える本体部２と、排出口２３に接続されてライニング材に流体圧力を作用させる反転部４とを有している。
【００３２】
反転装置１の本体部２は、圧縮空気その他の反転用媒体を受け入れて、流体圧力を保持する圧力容器とされている。本体部２の一方の端部には、ライニング材１０を内部に引き込むための導入口２１が設けられ、他方の端部には、ライニング材１０を通過させる排出口２３が設けられている。
【００３３】
本体部２に導入されるライニング材１０は、平坦状に折り畳まれて搬送され、導入口２１の前段（図１における左側）に配備される。導入口２１及び排出口２３には、本体部２の内部空間の圧力を保持するべく選択的に開閉される開閉弁２２、２４がそれぞれ備えられている。
【００３４】
本体部２の内部空間には、導入口２１から排出口２３へとライニング材１０を案内する案内部材５が設けられている。案内部材５としては、例えば、複数の固定部材５１と、複数の昇降部材５２とを含んで構成されている。ライニング材１０は、平坦状に折り畳まれた状態で導入口２１から本体部２内に導入され、案内部材５に到達する。固定部材５１と昇降部材５２とは、ライニング材１０の搬送ルートを挟んで上下に交互に並んだ状態に配設されている。また、固定部材５１及び昇降部材５２は、回転軸が、本体部２の導入口２１と排出口２３とを結ぶライニング材１０の搬送ルートに対して交差するように配列されている。
【００３５】
固定部材５１は、ライニング材１０の搬送ルートに沿って、同一の平面上に配設されている。また、昇降部材５２は、ライニング材１０の外面下部に接触するよう、ライニング材１０の搬送ルートの下方に配列されている。各昇降部材５２は、図示しない上下駆動手段により、上下方向に往復移動可能とされている。これにより、ライニング材１０の外面下部を支持した昇降部材５２が上昇してライニング材１０を本体部２内へ引き込むことが可能とされている。
【００３６】
本体部２の後段には反転部４が設けられている。反転部４は、本体部２の排出口２３に連結され、開閉弁２４を開放することで本体部２と一体の内部空間を構成する。反転部４の先端部には、図示しない係止金具が備えられている。係止金具には、ライニング材１０の先端の開口端部が裏返されて取り付けられる。
【００３７】
図１に示すように、反転部４は、本体部２の排出口２３との連結部から先端部にかけて漸次拡径された略円錐台形状の側壁を有する。反転部４の側壁には、反転用媒体としての圧縮空気等の供給源に接続された供給管４１が取り付けられている。反転部４の側壁には、反転部４内の圧力を測定するための圧力センサ等も適宜設けられている。反転部４の側壁は、かかる形状であるに限らず、円形の開口端面を有する形状であれば略円筒状等のどのような形状であってもよい。
【００３８】
本実施の形態において、反転装置１の本体部２には、導入口２１と案内部材５との間に、制御索３１の格納部３が設けられている。格納部３は、ボックス状に形成されており、本体部２の内部空間に連通するとともに、制御索３１の収納空間が本体部２の内部空間から区画されるように設けられている。また、格納部３は、本体部２を通過するライニング材１０の搬送ルートに干渉しないよう、搬送ルートの上部に配設されている。この格納部３には、制御索３１を巻き取ったリールやスプールなどの回転体（以下、リール３２という。）が収納されている。
【００３９】
制御索３１は、ライニング材１０を反転させつつ既設管７に送り込む際に、ライニング材１０の後端部に取り付けられて後方へ牽引し、ライニング材１０の反転速度及び推進速度が高速化するのを抑制する。制御索３１としては、帯状又は紐状の長尺物を使用することができる。帯状の長尺物としては、繊維性のベルト材が適当であり、紐状の長尺物としては、繊維性の組紐やロープ等が適当とされる。
【００４０】
格納部３には、リール３２を回転自在に軸承するための図示しない軸受け部が設けられている。この軸受け部に回転自在に軸承されるリール３２は、その軸部に、図示しない電動モータの出力軸が連結されている。電動モータの回転は制御装置により制御される。電動モータが駆動されると、リール３２は一方向に回転し、制御索３１を一定の速度で繰り出す。これにより、制御索３１の繰り出し量が制御され、反転されたライニング材１０の推進に制動をかけることになる。
【００４１】
格納部３は、上部にリール３２を挿通可能な大きさの開口部３３を有する。また、この開口部３３には、開閉可能な蓋部材３４が設けられている。蓋部材３４は、閉止時に開口部３３との間でシール部材等を介して気密的に密着される。また、蓋部材３４は、本体部２の内部圧力に耐えうる十分な強度を有する。
【００４２】
蓋部材３４を気密的に密着させる構成としては、例えば、開口部３３の開口縁に形成されたフランジ部と、蓋部材３４の周縁部とをシール部材を介して密着させる構成とすることが好ましい。また、蓋部材３４は、格納部３の開口部３３に、蝶番等の連結部材を介して片開き式で回動自在となるように取り付けられるとともに、開口部３３の開口縁に係合しうるフック等の係止部材を備えて、これらを係合させて締め付けることで気密的に密着される構成とすることが好ましい。
【００４３】
これにより、反転装置１においては、格納部３の蓋部材３４を外し、開口部３３を開放することで、外部から格納部３内の確認を行ったり各種の作業を行ったりすることが可能とされている。特に、ライニング材１０の反転過程で、格納部３に納められた制御索３１が全て繰り出された場合には、格納部３の開口部３３を使用して、リール３２の交換作業を行ったり、制御索３１を追加する作業を行ったりすることが可能となる。
【００４４】
次に、上述のように構成される反転装置１を用いた既設管７の更生工法について、図面を参照しつつ説明する。
【００４５】
例えば上水道管や農業用水管等の既設管７の更生作業にあっては、先ず、既設管７の流水を停止させ、又は既設管７内からいったん除去等することが好ましい。また、既設管７の更生対象範囲の上流側及び下流側の端部に、適宜の立坑７１を掘削する。既設管７内に存在する堆積物や木片等の異物があればそれらを除去し、高圧水洗浄を行うことが好ましい。
【００４６】
図２に示すように、反転装置１は、作業トラック９１の荷台に積載されて、立坑７１近傍の地上に設置される。このとき、作業用トラック９１の荷台を、ライニング材１０の挿入方向に向けることで、反転装置１の反転部４を更生対象管路に向けて配置する。また、ライニング材１０は平坦状に折り畳まれた状態で、材料運搬車９２に保冷されて搬入され、立坑７１近傍の地上に配置される。反転装置１の本体部２には、ライニング材１０を挿通させて、ライニング材１０の先端部を反転部４に係止する。
【００４７】
すなわち、図１に示したように、本体部２の導入口２１の開閉弁２２及び排出口２３の開閉弁２４をともに開放した状態で、ライニング材１０を本体部２内に導入する。そして、本体部２の内部空間に一列に並んだ複数の固定部材５１と、その下方の複数の昇降部材５２との間にライニング材１０を挿通させる。排出口２３を挿通させたライニング材１０は、先端部を外側に折り返して反転部４に係止させ、気密に取り付けておく。格納部３には、制御索３１を巻き取ったリール３２を収納する。
【００４８】
次に、ライニング材１０を反転させつつ既設管７内へ送り込む。図４〜図７は、反転装置１によるライニング材１０の反転過程を工程ごとに示す説明図である。なお、図４〜図７においては、本体部２の内部空間に設けられる案内部材５を省略して示している。
【００４９】
反転装置１においては、図１に示した状態から、本体部２の導入口２１の開閉弁２２を開放するとともに、排出口２３の開閉弁２４を閉止し、案内部材５を駆動させてライニング材１０を本体部２内へさらに引き込む（引き込み工程）。
【００５０】
次いで、図４に示すように、本体部２の導入口２１の開閉弁２２を閉止し、排出口２３の開閉弁２４を開放する。また、図示しない圧縮空気供給源を駆動し、ライニング材１０を反転させるための圧縮空気を、供給管４１を介して反転部４に送り込む（圧縮空気供給工程）。
【００５１】
反転部４は、本体部２に連通した気密状態の密閉空間となっている。圧縮空気の流体圧力はライニング材１０の外面側（図３における被覆層１１側）に作用し、ライニング材１０の先端部から順に反転部４の前方へライニング材１０を押し出す。すなわち、ライニング材１０は、流体圧力の作用を受けて本体部２から反転部４へ押し出され、大きな抵抗なく容易に内面と外面とが反転される（反転工程）。これにより、引き込み工程にて引き込んだ分のライニング材１０を全て反転させつつ反転部４から送り出すことができる。
【００５２】
次いで、上記の引き込み工程、圧縮空気供給工程、及び反転工程を複数回繰り返し、ライニング材１０を既設管７内へと反転させつつ送り込む。図２に示すように、反転装置１により反転されたライニング材１０は、立坑７１から既設管７内に送り込まれる。
【００５３】
ライニング材１０の反転作業が進行し、図４に示すように、ライニング材１０の後端部が本体部２に引き込まれると、制御索３１をライニング材１０の後端部に取り付ける。これにより、ライニング材１０の後端部に追従して制御索３１が格納部３から繰り出され、ライニング材１０の推進速度を制御しながら既設管７内を進行させることができる。
【００５４】
また、既設管７内へライニング材１０が送り込まれる過程で、図５に示すように、制御索３１がリール３２から全て繰り出されると、ライニング材１０のそれ以上の反転が停止することとなる。そこで、繰り出された制御索３１の末端に、新たな制御索３５の先端を結合して、ライニング材１０の反転を続行させる。
【００５５】
具体的には、本体部２の導入口２１の開閉弁２２を閉止した状態のまま、排出口２３の開閉弁２４を閉止する。これにより、反転途中のライニング材１０の内部圧力を保持する。その後、本体部２の導入口２１の開閉弁２２を開放し、本体部２の圧縮空気を排出する。
【００５６】
次いで、図６に示すように、格納部３の開口部３３の蓋部材３４を開放して、制御索３１が全て繰り出されたリール３２を格納部３から取り出す。そして、このリール３２に替えて、新たな制御索３５を巻き取った新規のリール３６を、開口部３３から格納部３内へ挿入し、回転自在となるように取り付ける。かかるリール３６は、制御索３５が巻き付けられて相当の重量を有することから、クレーン等の揚重機械で吊り上げられて移動される。そのため、作業性を考慮し、格納部３の開口部３３は、格納部３の上部に設けられていることが好ましい。
【００５７】
格納部３に収納された新たな制御索３５の先端は、既に繰り出された制御索３１の末端に結合される。制御索３１、３５は、ともに帯状又は紐状の長尺物であり、手作業でも容易に端部同士を結びつけて結合することができる。
【００５８】
次いで、図７に示すように、格納部３の開口部３３を蓋部材３４で気密に閉止する。また、本体部２の導入口２１の開閉弁２２を閉止して、排出口２３の開閉弁２４を開放する。これにより、新旧の制御索３１、３５が結合されて連続し、再び、ライニング材１０を反転させつつ送り出す作業を進めることができる。
【００５９】
ライニング材１０は被覆層１１が内側となるように裏返されており、圧縮空気の作用によって拡径され、樹脂含浸層１２が既設管７の内壁に密着する。ライニング材１０は、樹脂含浸層１２に含浸している母材樹脂が硬化することで、既設管７と一体化し、ライニング層を形成する。既設管７には被覆層１１で覆われた平滑な内周面が形成される。
【００６０】
（他の実施形態）
本発明において、反転装置１は、上記形態により構成されるに限らず、次のように構成されてもよい。図８は、他の実施形態に係る反転装置１を示す説明図であり、図９はさらに他の形態に係る反転装置１を示す説明図である。
【００６１】
図８に示す反転装置１では、格納部３は、上部に設けられた開口部３３を介して、新たなリール３６を収納した追加の格納部３０を連結可能に構成されている。格納部３の開口部３３は、開口縁にフランジ部３３１を有する。また、追加の格納部３０は、ボックス状に形成されて、制御索３５を巻き取ったリール３６が、その内部に回転可能に備えられている。追加の格納部３０は、底部に開口部を有し、開口縁にフランジ部３０１を備えている。格納部３のフランジ部３３１及び追加の格納部３０のフランジ部３０１は、相互に突き合わせた接続部分がシール部材を介して気密的に密着可能とされている。
【００６２】
このように構成されることにより、反転装置１において、既設管７内へライニング材１０を送り込む過程で、制御索３１がリール３２から全て繰り出されたとき、格納部３の開口部３３を開放し、その上方に追加の格納部３０を連結して対応することができる。本体部２の格納部３の内部には、空になったリール３２をそのまま残置することができる。新たな制御索３５は、追加の格納部３０から繰り出され、格納部３を通過して本体部２の内部空間に導かれる。これにより、新旧の制御索３１、３５が結合されて連続し、再び、ライニング材１０の反転作業を進めることができる。
【００６３】
また、図９に示す反転装置１では、格納部３は、制御索３１を巻き取ったリール３２と、リール３２を回転駆動させる図示しない電動モータと、電動モータを制御する図示しない制御装置とを備えたユニットとして構成されている。
【００６４】
格納部３は、ボックス状に形成されて、底部に開口部３３が設けられている。開口部３３の開口縁にはフランジ部３３１が形成され、本体部２に気密的に連結可能とされている。これにより、格納部３は、開口部３３を介して本体部２の内部空間に連通するとともに、制御索３１の収納空間が本体部２の内部空間から区画されるように構成されている。
【００６５】
格納部３のフランジ部３３１には、本体部２の外面にフランジ部３３１を密着させるシール部材と、例えばネジ機構を用いた係止部材等とが備えられている。格納部３は、本体部２に対してフランジ部３３１を締め付けて固定される。これにより、格納部３の開口部３３が気密的に閉止される。
【００６６】
このように構成されることにより、反転装置１において、既設管７内へライニング材１０を送り込む過程で、制御索３１がリール３２から全て繰り出されたとき、格納部３を本体部２から取り外し、ユニット化されている新規の格納部３を本体部２に装着することで、ライニング材１０の反転を容易に続行させることができる。
【００６７】
以上のように構成される反転装置１によれば、ライニング材１０の施工延長が制御索３１の長さによって制限されるという従来の問題点を解消し、ライニング材１０の反転に不具合を生じさせることなく、円滑に反転させつつ、長距離区間の更生管路であっても迅速に効率よくライニング材１０を施工することが可能となる。また、反転装置１は、ライニング材１０に対する十分な反転圧力と推進力とを備えているので、ライニング材の反転を阻害することがなく、長さの制限なくライニング材１０を反転させることができ、長距離区間にわたって作業性よくライニング材１０を施工することができる。
【００６８】
なお、本発明において開閉弁の配設箇所は、上記構成に加えて、本体部２の内部空間と格納部３とを区画するように、格納部３の後段部にも設けられてもよい。また、格納部３の開口部３３を閉止する蓋部材３４は、片開き式の回動自在な構成であるに限らず、開口部３３から離脱可能な構成やスライド可能な構成であるなど、開口部３３を気密的に閉止可能であればどのように構成されてもよい。また、ライニング材１０の反転用媒体としては、圧縮空気に限らず、蒸気や加熱水などの流体圧力を作用させうるものであればどのような流体であってもよい。
【産業上の利用可能性】
【００６９】
本発明は、ライニング材を用いた既設管の更生に好適に利用可能である。
【符号の説明】
【００７０】
１      反転装置
２      本体部
２１    導入口
２２    開閉弁
２３    排出口
２４    開閉弁
３      格納部
３０    追加の格納部
３１、３５  制御索
３２、３６  リール
３３    開口部
３３１  フランジ部
３４    蓋部材
４      反転部
４１    供給管
５      案内部材
５１    固定部材
５２    昇降部材
７      既設管
７１    立坑
９１    作業トラック
１０    ライニング材
【図１】
2014113757.tif 000003
【図２】
2014113757.tif 000004
【図３】
2014113757.tif 000005
【図４】
2014113757.tif 000006
【図５】
2014113757.tif 000007
【図６】
2014113757.tif 000008
【図７】
2014113757.tif 000009
【図８】
2014113757.tif 000010
【図９】
2014113757.tif 000011